(57)【特許請求の範囲】
【請求項１】
所定の表示を行なう第一の表示装置を有する可動側フロントケースと、前記所定の表示以外の演出情報を表示する第二の表示装置を有する可動側リアケースとから構成される可動側筐体とを連結部を介して連結する固定側筐体とを備える携帯端末装置であって、
前記可動側リアケースは、少なくとも平面形状の筐体平面部と、当該筐体平面部の上部に配置される平面板部と曲面板部とを有する曲面パネルとを備え、
このうち前記第二の表示装置と対向する前記曲面パネルの平面板部の裏面には、前記所定の表示以外の前記演出情報を所定の表示形態として表示する遮光印刷が施されるとともに、前記可動側リアケースを構成する前記筐体平面部と、前記曲面パネルの前記平面板部とは光隠蔽性の高い遮光シート部材を介して互いに貼り着け固定され、
前記可動側リアケースの前記筐体平面部の外縁部には、溝部が形成されるとともに、該溝部で囲まれる前記筐体平面部の中央部には、前記第二の表示装置から前記曲面パネルに向けて照射される光を通過させる開口部が形成され、該溝部に前記曲面パネルが嵌め込み固定されることを特徴とする携帯端末装置。
【請求項２】
前記曲面パネルは、前記溝部と同形状に形成されることを特徴とする請求項１に記載の携帯端末装置。
【請求項３】
前記遮光印刷が施された領域と遮光シート部材による光の隠蔽領域とは、一部の領域の範囲で重畳する位置となるように、前記遮光シート部材の位置が特定されることを特徴とする請求項１に記載の携帯端末装置。
【請求項４】
前記遮光シート部材は、両面に粘着層が形成された光の隠蔽性を有する両面テープ部材であるとともに、当該両面テープ部材による光の隠蔽領域は、前記曲面パネルの前記平面板部の前記遮光印刷が施された領域以外のほぼ全領域を占有する大きさに形成されることを特徴とする請求項１に記載の携帯端末装置。
【請求項５】
前記遮光印刷は、前記光を隠蔽する黒塗り領域を有し、前記所定の表示以外の前記演出情報を表示する表示形態に応じて、前記黒塗り領域に対して、第二の表示装置からの光の通過を許容するとともに、前記表示形態を表す切り欠き部が形成されることを特徴とする請求項１に記載の携帯端末装置。
【請求項６】
前記遮光シート部材は、光の隠蔽性が高い黒色素材からなる黒色シート部材と光の拡散性が高い白色素材からなる白色シート部材と粘着層を有する粘着シート部材との３層から構成されることを特徴とする請求項１に記載の携帯端末装置。
【発明の詳細な説明】
【技術分野】
【０００１】
本発明は、携帯電話機などの電話機能を有する携帯端末装置に関し、特に、多彩なイルミネーションなどによりデザイン性の向上を図ることのできる携帯端末装置に関するものである。
【背景技術】
【０００２】
近年、携帯電話機の多機能化は目覚しく、機能性はもとよりメールの着信時などにメールの着信があったことを表示パネルや筐体カバーなどにメールの着信を示すアイコンを点滅させることによりイルミネーション効果を高めた携帯端末機が登場している（例えば、特許文献１参照）。このように携帯電話機のカバーなどにイルミネーション効果を高めた表示を行なうことにより機能性とともに、デザイン性の向上を図ることができる。
【０００３】
ここで、イルミネーションによりアイコンなどの表示を行なう場合には、携帯電話機の筐体カバー（可動リアケース）には、遮光印刷が施されている。そして、このように、遮光印刷が行なわれた部位に所定のイルミネーションによる表示を行なうことができる。ここで、遮光印刷とは筐体カバー（可動リアケース）の裏側に印刷される黒塗りの印刷のことで、例えば、メールを表す表示を行なう場合、メールアイコンの形となるようにエッジを切り欠いた黒塗りの印刷が施される。すなわち、所定の表示形態として表示する以外の領域を隠蔽する遮光印刷が施されることとなる。
【０００４】
【特許文献１】特開２００１−３２０４５１号公報
【発明の開示】
【発明が解決しようとする課題】
【０００５】
ところが、上述した従来の携帯端末装置の場合、メールの形態を表示するために筐体カバー（可動リアケース）の裏側に遮光印刷を施す必要があるが、この遮光印刷の印刷対象は平面部であり、曲面形状となっている部位に対する遮光印刷は不可能となっている。このため、遮光印刷だけでは、照光部以外を全面的に遮光することができないうえ、光の漏れが発生するなどの問題が生じている。
【０００６】
そこで、この発明は、上述した従来技術の課題を解決するためになされたものであり、遮光印刷と遮光シートとを併用することにより、多彩なイルミネーションなどのデザイン性の向上を図ることのできる携帯端末装置を提供することを目的とする。
【課題を解決するための手段】
【０００７】
携帯端末装置に備えている可動側リアケースは、少なくとも平面形状の筐体平面部と、当該筐体平面部の上部に配置される平面板部と曲面板部とを有する曲面パネルとにより構成され、このうち第二の表示装置と対向するとともに、曲面パネルを構成する平面板部の裏面には、所定の表示以外の演出情報を所定の表示形態として表示する遮光印刷が施されるとともに、可動側リアケースの筐体平面部と曲面パネルの平面板部とは光隠蔽性の高い遮光シート部材を介して互いに貼り着け固定されることを要件とする。
【発明の効果】
【０００８】
可動側リアケースの筐体平面部に嵌め込まれる曲面パネルを構成する平面板部の裏面には、所定の表示以外の演出情報を所定の表示形態として表示する遮光印刷が施されるとともに、可動側リアケースの筐体平面部と曲面パネルの平面板部とは光隠蔽性の高い遮光シート部材を介して互いに貼り着け固定されるので、遮光印刷を行なう部位が曲面パネルであっても多彩なイルミネーション効果を実現することができる。
【発明を実施するための最良の形態】
【０００９】
先ず、図１を用いて携帯端末装置の全体構成を説明する。ここで、図１は、本発明の実施例１に係る携帯電話機の外観を示す斜視図である。同図に示すように、携帯電話機１０は、掌サイズの固定側筐体１００および可動側筐体２００と、これら固定側筐体１００および可動側筐体２００とを連結部３００により組み付けている。
【００１０】
図１に示すように、携帯電話機１０は、送話用に用いられるとともに、数字（０〜９）キーを有するテンキー１１１および機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを、２つのヒンジ部３１０、３２０とを備える連結部３００により折り畳み自在に連結している。そして、これら固定側筐体１００及び可動側筐体２００は、箱形状に形成され、その材料には、例えば、軽量で高強度のマグネシウム合金などが使用されている。 
【００１１】
このうち、固定側筐体１００は、テンキー１１１などの各種操作キーを有する操作パネル板１１５が配置された固定フロントケース１１０と、背面側（図１の下側)に位置する固定リアケース１２０との２分割構造を備えている。
【００１２】
同図に示すように、固定フロントケース１１０には、上述したテンキー１１１、機能キー１１２、テレビ電話キー１１３や携帯電話機１０の利用者の音声を電気信号に変換するマイクロホンが内部に配設された送話口１１４などが設けられている。そして、これら両ケース１１０、１２０は、それぞれ４箇所の位置で取り付けネジ（図示せず）によるネジ止め固定により組み付けられている。
【００１３】
同様に、可動側筐体２００は、表示パネル２１１が配置された可動フロントケース２１０と、背面側（図１の下側）に位置する可動リアケース２２０との２分割構造から構成されている。このうち、可動フロントケース２１０には、携帯電話機１０の使用者の耳を当てて音声を聞き取るための受話口２１２が配設されている。
【００１４】
また、可動リアケース２２０には、所定のイルミネーションを照光として行なう照光部材２３０(図３)が設けられている。これら、両ケース２１０、２２０もそれぞれ４箇所の位置で取り付けネジ(図示せず)により取り付け固定されるとともに、表示パネル２１１の上部位置には、ネジ用の目隠しカバー２１３が設けられている。
【００１５】
ここで、本実施例１に係る携帯電話機１０は、曲面パネル４００を構成する平面板部４１０の裏面４３０には、Ｅメールなどの報知情報を所定の表示形態（例えば、「手紙マーク」）として表示する遮光印刷が施され、可動リアケース２２０と曲面パネル４００とは光隠蔽性の高い遮光シート部材５００を介して互いに貼り付け固定していることに特徴がある。
【００１６】
概略的に説明すると、携帯電話機１０の筐体カバー（可動リアケース２２０）を構成する曲面パネル４００の照光部分近傍の平面板部４１０の裏面４３０には、遮光印刷を行い、その他の部分は、曲面パネル４００を筐体カバー（可動リアケース２２０）に固定する時に使用する両面テープ（遮光シート部材５００）を使用して遮光を行なう構成としている。すなわち、これによって、遮光印刷を行なうパネルが曲面パネル４００であっても、この曲面パネル４００に多彩なイルミネーションによる表示を行なうことができる。
【００１７】
以下、図２〜図５を用いて、可動リアケース２２０の曲面パネル４００に印刷された遮光印刷と、遮光シート部材５００の詳細について説明する。ここで、図２は、図１に示した可動リアケースおよび曲面パネルをそれぞれ示す斜視図である。なお、この図２は、携帯電話機１０を反転させた図を示している。また、図３は、図２のＡ−Ａ断面図を、図４は、図３のＢ部拡大図を、図５は、遮光印刷箇所の一例を示す平面図である。また、図６は、遮光シート部材および遮光シート部材の貼り着け領域を説明する図である。
【００１８】
図２に示すように、可動リアケース２２０は、全体が薄板箱状でほぼ全領域を占める平面板部２２１と、この平面板部２２１の周囲に位置する側面板部２２２とを備えている。また、可動側リアケース２２０の下半部(図２の左側)は、曲面パネル４００を取り付ける領域となっており、平面板部２２１の外縁部には溝部２２３が形成され、この溝部２２３に曲面パネル４００が嵌め込み固定されている。
【００１９】
また、この平面板部２２１の所定位置には、ほぼ中央に位置する矩形状で大径の開口部２４０と、この開口部２４０の両側に位置する同じく矩形状で小径の開口部２５０と、下側に位置する長尺状の開口部２６０とが形成されている。すなわち、前述した照光部材２３０により照射される光は、これら開口部２４０、２５０、２６０から上方に向けて光が通過するとともに、遮光印刷による所定の表示(例えば、Ｅメールを示す「封筒のマーク」)が行なわれることとなる。
【００２０】
曲面パネル４００は、可動リアケース２２０の溝部２３０とほぼ同形状の矩形型に成形されるとともに、平面板部４１０と曲面形状を有する側面板部４２０とを備えている。この曲面パネル４００の平面板部４１０の裏面４３０は遮光印刷ａ、ｂ、ｃ、ｄ（図５）が施されている。
【００２１】
また、可動リアケース２２０を構成する平面板部２２１と、曲面パネル４００を構成する平面板部４１０とは光隠蔽性の高い遮光シート部材５００(図４)を介して互いに貼り着け固定されている。
【００２２】
すなわち、この遮光シート部材５００には両面に粘着層を有する両面テープが使用され、この遮光シート部材５００の本体部５１０には、表示形態に応じた矩形型の開口部が複数個形成されている。具体的に説明すると、図６に示すように、遮光シート部材５００のほぼ中央には矩形状で大径の開口部５２０と、この開口部５２０の両側に位置する同じく矩形状で小径の開口部５３０と、下側に位置する長尺状の開口部５４０とがそれぞれ形成されている。
【００２３】
ここで、この曲面パネル４００の平面板部４１０の裏面４３０に印刷された遮光印刷の一部の領域と、遮光シート部材５００の一部の領域とがオーバーラップ領域となるように、遮光シート部材５００が配置されている。具体的に説明すると、図４に示すように、遮光印刷と遮光シート部材５００とは、一部の領域（領域ｔ）がオーバーラップ領域となっている。
【００２４】
すなわち、このように、遮光シート部材５００の貼り付け位置を、遮光印刷の一部の領域と重なるように配置することで、照光部材２３０の光が外部に漏れることを防止する構成としている。これにより、例えば、イルミネーション表示として行なうＥメールを示す「封筒のマーク」のエッジ部分を鮮明に表示することができる。
【００２５】
また、遮光シート部材５００は、光の隠蔽性が高い黒色素材からなる黒色シート部材と光の拡散性が高い白色素材からなる白色シート部材と粘着層を有する粘着シート部材との３層から構成され、遮光シート部材５００は、可動リアケース２２０に対して粘着シート部材が貼着固定されている。このように、表示側を黒色素材とすることで、より遮光性を向上することができる。
【００２６】
以上説明したように、本実施例１の携帯電話機１０は、可動リアケース２２０を構成する曲面パネル４００を構成する平面板部４１０の裏面４３０には、遮光印刷が施され、可動リアケース２２０と曲面パネル４００とは光隠蔽性の高い遮光シート部材５００を介して互いに貼り付け固定する構成としているので、曲面形状を有するパネルでも複雑な模様による表示を可能にし、これによって、多彩なイルミネーション効果を実現することができる。また、少ない光源で遮光印刷による照光部分を効率よく照光させることができる。
【００２７】
（他の実施例）
なお、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。 
【００２８】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。 
【００２９】
以上の実施例１を含む実施形態に関し、さらに以下の付記を開示する。
【００３０】
（付記１）所定の表示を行なう第一の表示装置を有する可動側フロントケースと、前記所定の表示以外の演出情報を表示する第二の表示装置を有する可動側リアケースとから構成される可動側筐体とを連結部を介して連結する固定側筐体とを備える携帯端末装置であって、
前記可動側リアケースは、少なくとも平面形状の筐体平面部と、当該筐体平面部の上部に配置される平面板部と曲面板部とを有する曲面パネルとを備え、
このうち前記第二の表示装置と対向するとともに、前記曲面パネルの平面板部の裏面には、前記所定の表示以外の前記演出情報を所定の表示形態として表示する遮光印刷が施されるとともに、前記可動側リアケースを構成する前記筐体平面部と、前記曲面パネルの前記平面板部とは光隠蔽性の高い遮光シート部材を介して互いに貼り着け固定されることを特徴とする携帯端末装置。
【００３１】
（付記２）前記遮光印刷が施された領域と遮光シート部材による光の隠蔽領域とは、一部の領域の範囲で重畳する位置となるように、前記遮光シート部材の位置が特定されることを特徴とする付記１に記載の携帯端末装置。
【００３２】
（付記３）前記遮光シート部材は、両面に粘着層が形成された光の隠蔽性を有する両面テープ部材であるとともに、当該両面テープ部材による光の隠蔽領域は、前記曲面パネルの前記平面板部の前記遮光印刷が施された領域以外のほぼ全領域を占有する大きさに形成されることを特徴とする付記１に記載の携帯端末装置。
【００３３】
（付記４）前記遮光印刷は、前記光を隠蔽する黒塗り領域を有し、前記所定の表示以外の前記演出情報を表示する表示形態に応じて、前記黒塗り領域に対して、第二の表示装置からの光の通過を許容するとともに、前記表示形態を表す切り欠き部が形成されることを特徴とする付記１に記載の携帯端末装置。
【００３４】
（付記５）前記遮光シート部材は、光の隠蔽性が高い黒色素材からなる黒色シート部材と光の拡散性が高い白色素材からなる白色シート部材と粘着層を有する粘着シート部材との３層から構成されることを特徴とする付記１に記載の携帯端末装置。
【００３５】
（付記６）前記遮光シート部材は、光の隠蔽性が高い黒色領域を有する黒色シート部材と光の拡散性が高い白色領域を有する白色シート部材と粘着層を有する粘着シート部材との３層から構成され、当該遮光シート部材は、前記可動側リアケースに対して前記粘着シート部材が貼着固定されることを特徴とする付記１に記載の携帯端末装置。
【００３６】
（付記７）前記可動側リアケースに設けられた前記第二の表示装置と対向するとともに、当該可動側リアケースの曲面形状を有する曲面パネルには、前記所定の表示以外の報知または演出情報を表示する表示形態に応じた遮光印刷が施されることを特徴とする付記１に記載の携帯端末装置。
【図面の簡単な説明】
【００３７】
【図１】本発明の実施例１に係る携帯電話機の開放状態を示す斜視図である。
【図２】図１に示した固定側筐体および曲面パネルを示す斜視図である。
【図３】図２のＡ−Ａ断面図である。
【図４】図３のＢ部を示す拡大断面図である。
【図５】遮光印刷箇所の一例を示す平面図である。
【図６】遮光シート部材および遮光シート部材の貼り着け領域を説明する図である。
【符号の説明】
【００３８】
１０  携帯電話機
１００  固定側筐体
１１０  固定フロントケース
１１５  操作パネル板
１２０  固定リアケース
２００  可動側筐体
２１０  可動フロントケース
２１１  表示パネル
２２０  可動リアケース
２３０  照光部材
３００  連結部
４００  曲面パネル
５００  遮光シート部材
【図１】
0005120028.tif 000002
【図２】
0005120028.tif 000003
【図３】
0005120028.tif 000004
【図４】
0005120028.tif 000005
【図５】
0005120028.tif 000006
【図６】
0005120028.tif 000007